(57)【要約】【課題】フィット性に優れ、且つ、一人当たり必要なパンツの数を減らすことができる失禁者用パンツを提供すること。【解決手段】パンツ本体部の内側において、吸収パッド部を着脱可能に配置する。これにより、吸収パッド部が汚れた場合にも、吸収パッドをパンツ本体から取り外し、単独で洗濯することができる。その結果、一人当たりの必要なパンツの数を減らすことができるという効果がある。また、状況に応じて吸収パッドを外すことにより、通常のパンツとして使用可能となる。【選択図】　図１
2004097427.tif 000002
【特許請求の範囲】
【請求項１】
パンツ本体部と；
前記本体部の内側において、着脱可能に配置された吸収パッドとを備えたことを特徴とする失禁者用パンツ。
【請求項２】
前記吸収パッドは、吸水性に優れたパッド部と；当該パッドを前記本体部に装着するための連結部とを備えることを特徴とする請求項１に記載の失禁者用パンツ。
【請求項３】
前記吸収パッドは、前記パンツ本体部の内側において、股間の前後に渡って吊り下げた状態で装着されていることを特徴とする請求項１又は２に記載の失禁者用パンツ。
【請求項４】
前記連結部は弾性力に優れた素材によって形成されていることを特徴とする請求項２又は３に記載の失禁者用パンツ。
【請求項５】
前記連結部は、前記本体部の前側ウエスト部に連結される前方連結部と；前記本体部の股間部中央付近に連結される後方連結部とを有すること特徴とする請求項２，３又は４に記載の失禁者用パンツ。
【請求項６】
前記本体部は、前記前方連結部をカバーする柔軟素材からなるフラップを備えることを特徴とする請求項５に記載の失禁者用パンツ。
【請求項７】
前記パッド部は、水分吸収性に優れた吸収体領域と、当該吸収体領域の縁に設けられた弾性部材とを備え、
前記吸収体領域が立体構造を形成するように、前記弾性部材の弾性力を吸収体領域の弾性力よりも大きくしたことを特徴とする請求項２，３，４，５，又は６に記載の失禁者用パンツ。
【請求項８】
前記パッド部の内側表面がメッシュ素材によって形成されていることを特徴とする請求項２，３，４，５，６又は７に記載の失禁者用パンツ。
【発明の詳細な説明】
【０００１】
【発明の属する技術分野】
本発明は失禁者用パンツに関し、特に、トランクスタイプの男性用の軽失禁者用パンツに関する。
【０００２】
【従来の技術】
軽失禁を含む失禁者用のパンツは、一般的に、パンツ本体と吸収体パッドによって構成される。吸収体パッドは、パンツ本体の内側において性器を覆うように配置される。
【０００３】
【発明が解決しようとする課題】
従来の男性用の失禁者用パンツにおいては、吸収パッドのフィット性が悪く、結果としてパンツの装着感が悪いだけでなく、漏れの原因となっていた。また、吸収パッドが少しでも汚れた場合には、パンツそのものを洗濯する必要があり、数多くのパンツを用意しておく必要があった。
【０００４】
本発明は上記のような状況に鑑みてなされたものであり、フィット性に優れ、一人当たりの必要なパンツの数を減らすことができ、且つ、状況に応じて通常のパンツとして使用可能な失禁者用パンツを提供することを目的とする。
【０００５】
【課題を解決するための手段】
上記のような課題を解決するために、本発明に係る失禁者用パンツは、パンツ本体部と；パンツ本体部の内側において、着脱可能に配置された吸収パッド部とを備えている。このため、吸収パッド部が汚れた場合にも、吸収パッドをパンツ本体から取り外し、単独で洗濯することができる。その結果、一人当たり必要なパンツの数を減らすことができるという効果がある。また、状況に応じて吸収パッドを装着したり、しなかったりというように、パンツとしての汎用性が広がる。すなわち、外出時にはパッドを装着して失禁用パントとして使用し、自宅に居る時にはパッドを外して通常のパンツとして使用することが可能となる。
【０００６】
好ましくは、吸収パッド部をパンツ本体部の内側において、股間の前後に渡って吊り下げられた状態で固定する。また、吸収パッド部を本体部に対して弾性力に優れた連結部材によって固定することが好ましい。更には、吸収パッド部を、水分吸収性に優れた吸収体領域と、当該吸収体領域の縁に設けられた弾性部材とから構成し、吸収体領域が立体構造を採るように、弾性部材の弾性力を吸収体領域の弾性力よりも大きくすることが好ましい。このような工夫により、パンツの装着感が大幅に向上する。
【０００７】
また、吸収パッド部の一端を本体部の前側ウエスト部に連結し、他端を股間部中央付近に連結することにより、連結部における異物感等の不快感を最小限に抑えることが可能となる。仮に、後方の連結部が尾骨にまで達するような場合には、装着時に連結部が直接臀部や尾骨付近に強く接触して、装着感が悪くなる。本発明によれば、後方の連結部が股間部中央付近に位置するため、着用者の肌に強く接触することが無く、装着感に優れる。
【０００８】
【発明の実施の形態】
以下、本発明に係る失禁者用パンツについて、軽失禁者用のパンツを例に採って説明する。なお、本発明に係る失禁者用パンツは、吸収パッド部の設計変更によって、軽度から重度の失禁者に適合させることが可能である。
【０００９】
図１は、本発明の実施例に係る軽失禁者用パンツ１０の構成を示す斜視図である。軽失禁者用パンツ１０は、前方中央付近に開閉可能な排尿窓（図示せず）が形成されたトランクスタイプのパンツ本体１２と、当該パンツ本体１２の内側に着脱可能に配置された吸収パッド１４とを備えている。
【００１０】
パンツ本体１２は、吸水性及び肌触りを考慮し、例えば、伸縮性ニット素材を使用して製造される。吸収パッド１４は、前後両端部をパンツ本体１２に固定して、吊り下げた状態で使用される。吸収パッド１４が吊り下げ方式によって支持されるため、常に股間にフィットし、装着感の向上及び尿の漏れ防止に効果を発揮する。
【００１１】
図２（Ａ）は、吸収パッド１４の前端側とパンツ本体１２との連結部の構造を示す。また、同図（Ｂ）は、吸収パッド１４の後端側とパンツ本体１２との連結部の構造を示す。図３は、吸収パッド１４の表側（外側）の構造を示す。図４は、吸収パッド１４の裏側（内側）の構造を示す。
【００１２】
図１，図３及び図４に示すように、吸収パッド１４は、吸水性に優れたパッド部３４，４０と；当該パッド部３４，４０をパンツ本体１２に装着するための連結部１６，１８，３８とを備えている。パッド部３４，４０の前方（上方）端部に、２本の弾性紐１６が固定されている。弾性紐１６の端部には、Ｓ字上のフック３８が取り付けられている。フック３８は、パンツ本体１２のウエスト前側部に設けられたループ状紐３０（図２（Ａ））に引っ掛けるようになっている。
【００１３】
吸収パッド１４の裏側（内側）の下端部には、スナップによってパンツ本体１２に対して着脱可能なループ状の固定紐１８が設けられている。パンツ本体１２の股間部中央付近には、弾性素材からなるループ状部材３２が設けられている。吸収パッド１４をパンツ本体１２に装着する際には、固定紐１８の一端をループ状部材３２に通し、その後、スナップで止めることによって固定する。
【００１４】
パンツ本体１２の前側ウエスト部には、吸収パッド１４との連結部を覆う柔軟素材のフラップ２０が設けられている（図２（Ａ））。フラップ２０の素材としては、例えば、パンツ本体１２と同一の伸縮性ニット素材を採用することができる。
【００１５】
符号３６は立体裁断による縫い目を示す。本実施例においては、パッド部３４，４０に比べて縁部１４ａの弾性力を高くすることにより、縁部にしわを発生させ、これによってパッド部の立体構造を得ている。パッドを立体構造とすることにより、着用者へのフィット感及び装着感が向上すると同時に、漏れ防止効果があることは言うまでもない。
【００１６】
吸収パッド１４の内側パッド４０の表面はメッシュ素材によって形成されている。これにより、パンツ本体１２の内部の蒸れを抑えることができる。一方、吸収パッド１４の外側パッド３４の表面は液不透過性の素材によって形成され、尿が染み出るのを防止している。パッド部（３４，４０）全体の素材としては、例えば、外側から防水フィルム、消臭・吸水性不織布、吸収・拡散・逆流防止機能を有する素材の３層構造とすることができる。
【００１７】
以上、本発明の実施例について説明したが、本発明はこれらの実施例に何ら限定されるものではなく、特許請求の範囲に示された技術的思想の範疇において変更可能なものである。
【００１８】
【発明の効果】
以上説明したように、本発明においては、吸収パッドを、パンツ本体の内側において着脱可能に配置しているため、吸収パッドが汚れた場合にも、吸収パッドをパンツ本体から取り外し、単独で洗濯することができる。すなわち、その都度パンツを洗濯する必要が無くなる。その結果、一人当たり必要なパンツの数を減らすことができる。また、状況に応じて吸収パッドを装着したり、しなかったりというように、パンツとしての汎用性が広がる。
【００１９】
また、吸収パッド部をパンツ本体部の内側において、股間の前後に渡って吊り下げられた状態で固定し、吸収パッド部を本体部に対して弾性力に優れた連結部材によって固定することによって、パンツの装着感が向上する。更に、吸収パッド部を、水分吸収性に優れた吸収体領域と、当該吸収体領域の縁に設けられた弾性部材とから構成し、吸収体領域が立体構造を採るように、弾性部材の弾性力を吸収体領域の弾性力よりも大きくすることにより、男性器周辺のフィット感が向上する。
【００２０】
また、前側連結部を本体部の前側ウエスト部に連結し、後側連結部を股間部中央付近に連結することにより、連結部における異物感等の不快感を最小限に抑えることが可能となる。
【図面の簡単な説明】
【図１】図１は、本発明の実施例に係る失禁者用パンツの構成を示す斜視図である。
【図２】図２は、実施例に係る失禁者用パンツの本体部の構造を示し、（Ａ）が前側ウエスト領域、（Ｂ）が股間中央領域を示す。
【図３】図３は、実施例に係る失禁者用パンツに使用される吸収パッドの構成を示す外側平面図である。
【図４】図４は、実施例に係る失禁者用パンツに使用される吸収パッドの構成を示す内側平面図である。
【符号の説明】
１０　　　失禁者用パンツ
１２　　　パンツ本体
１４　　　吸収パッド
２０　　　フラップ
１６，３０，３８　　　前側連結部
１８，３２　　　後側連結部
３４，４０　　　パッド部
【図１】
2004097427.tif 000003
【図２】
2004097427.tif 000004
【図３】
2004097427.tif 000005
【図４】
2004097427.tif 000006